(57)【要約】【課題】優れた強度の合成床版を構成できるデッキプレートを提供する。【解決手段】デッキプレート２は、基板２１と、基板２１上の同じ高さ位置に互いに平行に配置される複数の第１鉄筋３と、同一平面上を同じ振幅、同じ周期で振動する波形形状を呈し第１鉄筋３を挟む両側位置に逆方向に傾いた姿勢で対向配置されるすラチス筋４Ａ，４Ｂと、複数の第１鉄筋３上に第１鉄筋３と直交して設けられる複数の第２鉄筋５とを備える。基板２１の表面には各ラチス筋４Ａ，４Ｂの下側の屈曲部分４１が固定される突条２２Ａ，２２Ｂがラチス筋４Ａ，４Ｂの傾きと一致する傾きで一体に形成される。各ラチス筋４Ａ，４Ｂの下側の各屈曲部分４１は、各突条２２Ａ，２２Ｂの内面に重ねられて屈曲端より上方の位置で溶接される。上側の各屈曲部分４０は第１鉄筋３の側面に当てられて屈曲端より下方の位置で溶接される。【選択図】図２
2019019599.tif 000002
【特許請求の範囲】
【請求項１】
梁上に設置され上面に打設されたコンクリートと一体化されて合成床版を構成するデッキプレートであって、
金属製の基板と、前記基板上の同じ高さ位置に基板の長さ方向に沿って互いに平行に配置される複数の第１鉄筋と、同一平面上を同じ振幅、同じ周期で振動する波形形状を呈し第１鉄筋毎に第１鉄筋を挟む両側位置に逆方向に傾いた姿勢で全長にわたって対向配置される対をなすラチス筋と、前記複数の第１鉄筋上に第１鉄筋と直交して互いに平行に設けられる複数の第２鉄筋とを備え、前記基板の表面には、対をなす各ラチス筋の下側の屈曲部分が固定される対をなす突条がラチス筋の傾きと一致する傾きで全長にわたって一体に形成されており、
対をなす各ラチス筋の下側の各屈曲部分は、対をなす各突条の内面または外面に重ねられて屈曲端より上方の位置で溶接され、上側の各屈曲部分は、第１鉄筋の側面に当てられて屈曲端より下方の位置で溶接されてなるデッキプレート。
【請求項２】
対をなす各突条は、基板の表面に対して６０度以上、８０度以下の傾きに形成されている請求項１に記載のデッキプレート。
【請求項３】
対をなす各突条は、それぞれの傾きの角度が一致している請求項１または２に記載のデッキプレート。
【請求項４】
対をなす各突条は、基板の表面から少なくとも１５ｍｍの高さに形成されている請求項１〜３のいずれかに記載のデッキプレート。
【請求項５】
前記突条のラチス筋との溶接部位には、突起が設けられている請求項１に記載のデッキプレート。
【発明の詳細な説明】
【技術分野】
【０００１】
この発明は、上面に打設されたコンクリートと一体化されて合成床版を構成するデッキプレートに関し、この発明は特に、火災時の床下からの熱により一体化が緩むのを抑制し得る耐火性能に優れたデッキプレートに関する。
【背景技術】
【０００２】
従来、鉄骨造、鉄筋コンクリートの建造物の床を施工するのに、デッキプレートを用いた工法が採用されている。この種の工法のひとつは、合成床版としてデッキプレートとコンクリートを協働させるものである。他の工法は、デッキプレートを捨て型枠と考えるものであり、床スラブの構造部材として考慮していない。デッキプレートを用いた合成床版は、デッキプレートを構成する鋼板の表面に曲げ加工やプレス加工により複数の凹溝、凸条を形成したものであり、凹溝、凸条と直交する方向の曲げに対する強度を高めるとともに、コンクリートとデッキプレートとの接触面積を増して構造耐力を確保し、これにより引張力に強いデッキプレートの鋼板と圧縮力に強いコンクリートとを一体化して協働させるものである。
【０００３】
上記の合成床版は、いわゆる「不等厚断面」と呼ばれるものであって、厚みが全体にわたって均一でなく、床下面が凹凸面であるため、コンクリートに幅広い有害なひび割れが発生し易く、上階からの衝撃音が伝播し易いという問題があるとともに、隣室間の間仕切壁の頂部に空隙ができるため、隣室間の発生音並びに振動音の遮断が難しい。このため、床下面が平坦で厚みが全体にわたって均一な「等厚断面」の合成床版の開発が望まれていた。
【０００４】
上記の要請に応えた合成床版として、先般、図８に示される構造のものが提案された。この合成床版１２０は、梁１１０上に設置されるデッキプレート９と、デッキプレート９の鋼板９０上に打設されたコンクリート１００とを一体化して協働させるもので、デッキプレート９として、鋼板９０に複数のウェブ９１が一体形成された構造のものが用いられている。このデッキプレート９においても、上記のデッキプレートと同様、Ｔ字形断面のウェブ９１と直交する方向の曲げに対する強度を高めている。ウェブ９１は鋼板９０上に一定の間隔で設けられ、コンクリート１００はウェブ９１により仕切られて形成された各空間Ｓに打設充填される。ウェブ９１は頂部に張り出し部９２を有しており、鋼板９０上に打設されたコンクリート１００をデッキプレート９に定着させて一体化している。ウェブ９１は、コンクリート１００が荷重によって変形するのを拘束することによりコンクリート１００の強度を向上させる（例えば、特許文献１参照）。
【先行技術文献】
【特許文献】
【０００５】
【特許文献１】特開２００３−２３９４３９号公報
【発明の概要】
【発明が解決しようとする課題】
【０００６】
特許文献１に記載の合成床版１２０では、デッキプレート９との一体化によりコンクリート１００の強度は向上するが、コンクリート１００を打設した際、図９に示すように、各ウェブ９１がコンクリート１００の流れを阻害する壁となるため、コンクリート１００を鋼板９０上の隅々まで充填するのが困難である。特に、各ウェブ９１の基端部分にコンクリート１００が行き渡らず、隙間が生じるおそれがあり、コンクリート１００とデッキプレート９との一体化を阻害する要因となる。
【０００７】
また、コンクリート１００との接触面積を増すために、ウェブ９１の張り出し部９２を大きくした場合、空間部Ｓ内のコンクリート１００ａとウェブ９１の張り出し部９２上のコンクリート１００ｂとの間に、乾燥時の収縮によってひび割れが生ずるおそれがある。さらに、コンクリート１００内の余剰水が各ウェブ９１を伝って移動する結果、各ウェブ９１や鋼板９０の表面に水分による脆弱層が発生するおそれもある。また、ウェブ９１，９１間の空間Ｓ内のコンクリート１００ａは、幅方向についてはウェブ９１による拘束効果によって荷重による変形が抑えられるが、長さ方向にはそのような拘束効果がないので、コンクリート１００ａの荷重による変形を抑えることができず、強度が十分に高められない。
【０００８】
一般に、床構造体は、コンクリートの荷重がかかると、撓みが発生するが、火災発生時に鋼板９０の下面に高熱が作用すると、熱伝導率が大きい鋼板９０とウェブ９１はともに高温となり、またコンクリート１００も熱が伝達されて温度が上昇する。鋼板９０とコンクリート１００の熱膨張率は同じであるので、両者は同じように膨張する。コンクリート１００内には水分が含まれているので、水の気化温度（１００℃）に達するまでは両者は密着している。しかし、コンクリート１００が１００℃に達した以降は、鋼板９０から伝達された熱エネルギーはこのコンクリート内の水分の気化現象に消費され、コンクリート１００の表面温度は１００℃に停滞する一方、鋼板９０の温度は上昇を続けるため、両者間に温度差が生じ、膨張量の大きな鋼板９０はコンクリート１００の表面から剥離する方向へ移動する。この時点において鋼板９０とコンクリート１００の一体性が緩む。
【０００９】
鋼板９０の温度が２００℃に達すると、「青熱脆性」と呼ばれる現象が発生し、鋼板９０は引張強度は増すものの伸びなどの耐変形性能が低下する。このため、鋼板９０はコンクリート１００の熱膨張に追従できなくなり、鋼板９０とコンクリート１００の一体性が喪失され、コンクリート１００の上下の温度差により発生する撓みはコンクリート１００の断面形状の性能のみで耐えることになる。しかし、コンクリート１００は、熱容量が大きいため、上下面の温度差は小さくなり、膨張量の差がなくなるため、コンクリート上面のたわみ量速度は減少する。
【００１０】
この発明は、上記の問題に着目してなされたもので、上面に打設されたコンクリートと一体化されて合成床版を構成するデッキプレートを提供し、さらに、常温時および火災時における耐荷重性に優れた合成床版を得ることのできるデッキプレートを提供することを目的とする。
【課題を解決するための手段】
【００１１】
この発明によるデッキプレートは、梁上に設置され上面に打設されたコンクリートと一体化されて合成床版を構成するデッキプレートであって、金属製の基板と、前記基板上の同じ高さ位置に基板の長さ方向に沿って互いに平行に配置される複数の第１鉄筋と、同一平面上を同じ振幅、同じ周期で振動する波形形状を呈し第１鉄筋毎に第１鉄筋を挟む両側位置に逆方向に傾いた姿勢で全長にわたって対向配置される対をなすラチス筋と、前記複数の第１鉄筋上に第１鉄筋と直交して互いに平行に設けられる複数の第２鉄筋とを備える。前記基板の表面には、対をなす各ラチス筋の下側の屈曲部分が固定される対をなす突条がラチス筋の傾きと一致する傾きで全長にわたって一体に形成されている。対をなす各ラチス筋の下側の各屈曲部分は、対をなす各突条の内面または外面に重ねられて屈曲端より上方の位置で溶接され、上側の各屈曲部分は、第１鉄筋の側面に当てられて屈曲端より下方の位置で溶接されている。
【００１２】
上記した構成のデッキプレートの基板上にコンクリートが打設されるときは、第１鉄筋の両側位置に配置されたラチス筋によって形成される立体トラスが、基板上のコンクリート荷重や作業員などの作業荷重を吊持し、強度の高い床型枠を構成する。また、基板上にはコンクリートの流れを阻害する壁となるものが存在しないので、コンクリートはデッキプレート上の隅々まで行き渡って基板上に充填され、打設されたコンクリートに隙間が生じず、コンクリートと基板との一体化が阻害されない。
【００１３】
対をなすラチス筋は、同一平面上を同じ振幅、同じ周期で振動する波形形状のものであり、下側の各屈曲部分は屈曲端より上方の位置で突条に溶接され、上側の各屈曲部分は屈曲端より下方の位置で第１鉄筋に溶接されているので、各ラチス筋と第１鉄筋および突条とは強固に結合される。そして、幅方向には対をなすラチス筋によって立体トラスが構成され、長さ方向には各ラチス筋の波型形状によるトラスが構成されており、対をなすラチス筋は、基板上に充填されたコンクリートが荷重によって幅方向および長さ方向に変形するのを拘束するもので、この拘束効果によってコンクリートとデッキプレートとの一体化が保持され、合成床版の強度が高められる。
【００１４】
また、火災時に基板の下面に高熱が作用したとき、第１鉄筋は下面からの高熱の影響を受けにくいコンクリートの奥深くに定着されており、その第１鉄筋に対をなすラチスが固着され、また、各ラチス筋は基板に設けられた突条にも固着されているので、基板の長さ方向および幅方向の熱膨張が抑制されるもので、その結果、基板とコンクリートとの一体化が損なわれず、合成床版の自重と積載荷重による撓みとスラブ上面と下面の膨張差によって発生する変形総和が抑えられる。
【００１５】
さらに、基板上には、従来例のウェブのような壁となるものやウェブの張り出し部のような幅をもつものが存在しないので、乾燥時の収縮によってひび割れが生じたり、コンクリート内の余剰水に起因する脆弱層が発生したりするおそれがない。
【００１６】
この発明の好ましい実施態様においては、対をなす各突条は、基板の表面に対して６０度以上、８０度以下の傾きに形成されており、より好ましくは、対をなす各突条は、それぞれの傾きの角度が一致している。
【００１７】
さらに好ましい実施態様においては、対をなす各突条は、基板の表面から少なくとも１５ｍｍの高さに形成されている。
【００１８】
さらに好ましい実施態様においては、前記突条のラチス筋との溶接部位には突起が設けられている。
【発明の効果】
【００１９】
この発明によれば、上面に打設されたコンクリートと一体化されて合成床版を構成することができ、さらに、常温時および火災時における耐荷重性に優れた合成床版を得ることができる。
【図面の簡単な説明】
【００２０】
【図１】一実施形態の合成床版の断面図である。
【図２】デッキプレートの一実施例を示す正面図である。
【図３】図２の実施例の側面図である。
【図４】突条とラチス筋との溶接部分を拡大して示す断面図である。
【図５】突条に形成される突起の位置を拡大して示す側面図である。
【図６】他の実施例における突条とラチス筋との溶接部分を拡大して示す断面図である。
【図７】コンクリートの変形が拘束されている状態を示す斜視図である。
【図８】従来の合成床版を示す断面図である。
【図９】図８の従来例においてコンクリートの変形が拘束されている状態を示す斜視図である。
【発明を実施するための形態】
【００２１】
図１は、一実施形態のデッキプレート２を複数枚連ねて構成される合成床版１を示す。各デッキプレート２は、幅方向ｗに連結されて、デッキプレート２の組立構造物２０が形成される。組立構造物２０は、外周の端部が四方の梁１１０上にそれぞれ支持される。組立構造物２０の上面にはコンクリート１００が打設され、コンクリート１００と各デッキプレート２とが一体化されて合成床版１が構成される。なお、以下の説明では、デッキプレート２が連なる方向を「幅方向ｗ」といい、幅方向ｗと直交する方向、すなわち、デッキプレート２の長手方向を「長さ方向Ｌ」という。
【００２２】
デッキプレート２は、図２および図３に示すように、耐食性、防錆効果に優れたメッキ鋼板、具体的には、ＪＩＳ規格に規定される溶融亜鉛メッキ鋼板および鋼帯（ＪＩＳ  Ｇ
３３０２）よりなる基板２１と、基板２１上の同じ高さ位置に長さ方向Ｌに沿って互いに平行に配置される複数本の第１鉄筋３と、第１鉄筋３毎に第１鉄筋３を挟む両側位置に逆方向に傾いた姿勢で全長にわたり対向配置される対をなすラチス筋４Ａ，４Ｂと、複数の第１鉄筋３上に第１鉄筋３と直交して互いに平行に設けられる複数の第２鉄筋５とを備えている。
【００２３】
第１鉄筋３および第２鉄筋５は、断面形状が円形の真っ直ぐな鋼材であり、例えば、ＪＩＳＧ３１１２規格品の異形棒鋼などが用いられる。第１鉄筋３および第２鉄筋５は、基板２１とコンクリート１００とを一体化するための定着機構の主材として働くと同時に、第１鉄筋３は両側のラチス筋４Ａ，４Ｂと基板２１とで三角立体トラスを構成し、打設したコンクリート１００が所定の強度となるまではスラブ型枠支保工として梁に支持させ吊持する役割を果たす。第２鉄筋５は、コンクリート１００の打設後、それ程の時間が経過していないときに発生し易い乾燥収縮ひび割れの分散微小化の役割を果たす。なお、第２鉄筋５にはＪＩＳＧ３５５１の「溶接金網及び鉄筋格子」に定める異形鉄筋格子のデザイン格子を用いてもよい。
【００２４】
ラチス筋４Ａ，４Ｂは、例えば、ＪＩＳＧ３５３２規格品の鉄線をもって構成され、それぞれ同一平面Ｐ１，Ｐ２に沿って同じ振幅、同じ周期で振動する波形形状を呈しており、上側の屈曲部分４０と、下側の屈曲部分４１と、上下の屈曲部分４０，４１間の斜めの直線部分４２，４３とが一連に連続している。
【００２５】
基板２１の表面には、第１鉄筋３の位置ｃ毎に、第１鉄筋３の位置ｃに対して対称の位置に、対をなす突条２２Ａ，２２Ｂが全長にわたって基板２１と一体に形成されている。各突条２２Ａ，２２Ｂの内側の面には、対をなす各ラチス筋４Ａ，４Ｂの下側の屈曲部分４１が溶接により固着される。各突条２２Ａ，２２Ｂは、図４に示すように、基板２１を斜め上向きに屈曲しかつ折り返すことにより基板２１と一体に形成されている。各突条２２Ａ，２２Ｂの基板２１の表面からの高さｈは、少なくとも１５ｍｍ（この実施例では１５ｍｍ）に設定されているが、ラチス筋４Ａ，４Ｂの太さや傾きなどに応じて適宜決定する。
【００２６】
対をなす各ラチス筋４Ａ，４Ｂの下側の各屈曲部分４１は、それぞれ対をなす各突条２２Ａ，２２Ｂの内側の面に重ねられ、屈曲端４１ｐの上方の位置、すなわち、直線部分４２，４３の下端部が突条２２Ａ，２２Ｂにスポット溶接される。上側の各屈曲部分４０は、第１鉄筋３の側面に当てられ、屈曲端４０ｐの下方の位置、すなわち、直線部分４２，４３の上端部（図３においてｙで示す。）がスポット溶接される。ラチス筋４Ａ，４Ｂの下側の屈曲部分４１の屈曲端４１ｐおよび上側の屈曲部分４０の屈曲端４０ｐは曲げ加工によって強度が低下しているので、屈曲端４１ｐの上方の位置および屈曲端４０ｐの下方の位置で溶接し、これにより溶接点の接合強度を保持している。
【００２７】
対をなす各ラチス筋４Ａ，４Ｂの基板２１に対する傾きαａ，αｂと各突条２２Ａ，２２Ｂの基板２１に対する傾きβａ，βｂとはそれぞれ一致しており（αａ＝βａ，αｂ＝βｂ）、これにより各ラチス筋４Ａ，４Ｂの下側の屈曲部分４１の外面は各突条２２Ａ，２２Ｂの内側の面と対向し、両者は溶接によって面接合する。各突条４Ａ，４Ｂの傾きβａ，βｂは、基板２１の表面に対して６０度以上、８０度以下の角度、さらに望ましくは、６４度以上、７７度以下の角度に形成されるのが望ましく、また、両者の傾きβａ，βｂは一致させること（βａ＝βｂ）が望ましい。
【００２８】
各突条２２Ａ，２２Ｂの内側の面には、図５に示すように、各ラチス筋４Ａ，４Ｂの下側の屈曲部分４１との溶接部位（図４においてｘで示した位置）に、山型ないしは半球状の突起２３，２３が一体に突設されている。ラチス筋４Ａ，４Ｂの下側の屈曲部分４１の屈曲端４１ｐは曲げ加工によって強度が低下しているので、各突起２３は、屈曲端４１ｐより上方の直線部分４２，４３であって同じ高さ位置に形成されている。ラチス筋４Ａ，４Ｂの下側の屈曲部分４１に溶接機の電極端子を当てて通電すると、各突起２３の位置で各ラチス筋４Ａ，４Ｂの下側の屈曲部分４１が各突条２２Ａ，２２Ｂに溶着される。
【００２９】
なお、上記の実施形態では、対をなす各突条２２Ａ，２２Ｂの内側に対をなす各ラチス筋４Ａ，４Ｂの下側の屈曲部分４１の外面を接合しているが、図６に示すように、各突条２２Ａ，２２Ｂの外側の面にラチス筋４Ａ，４Ｂの下側の屈曲部分４１の内面を接合してもよく、この場合は、各突条２２Ａ，２２Ｂの外側の面に、上記した山型ないしは半球状の突起２３，２３が一体に形成される。
【００３０】
上記した構成の組立構造物２０の基板２１上にコンクリート１００が打設されるときは、第１鉄筋３の両側位置に配置されたラチス筋４Ａ，４Ｂによって形成される立体トラスが、基板２１上のコンクリート荷重や作業員などの作業荷重を吊持する。基板２１上にはコンクリート１００の流れを阻害する壁となるものが存在しないので、コンクリート１００は各デッキプレート２上の隅々まで行き渡って基板２１上に充填され、打設されたコンクリート１００と各基板２１との間に隙間が生じず、コンクリート１００と基板２１との一体化が阻害されない。
【００３１】
対をなすラチス筋４Ａ，４Ｂは、同一平面上を同じ振幅、同じ周期で振動する波形形状のものであり、下側の各屈曲部分４１は屈曲端４１ｐより上方の位置で突条２２Ａ，２２Ｂに溶接され、上側の各屈曲部分４０は屈曲端４０ｐより下方の位置で第１鉄筋３に溶接されているので、各ラチス筋４Ａ，４Ｂと第１鉄筋３および突条２２Ａ，２２Ｂとは強固に結合される。そして、幅方向ｗには対をなすラチス筋４Ａ，４Ｂによって立体トラスが構成され、長さ方向Ｌには各ラチス筋４Ａ，４Ｂの波型形状によるトラスが構成されており、対をなすラチス筋４Ａ，４Ｂは、基板２１上に充填されたコンクリート１００が荷重によって幅方向ｗおよび長さ方向Ｌに変形するのを拘束するもので、この拘束効果によってコンクリート１００とデッキプレート２との一体化が保持され、合成床版１の強度が高められる。
【００３２】
図７は、基板２１上の第１鉄筋３、ラチス筋４Ａ，４Ｂ、および第２鉄筋５によりコンクリート１００の変形が拘束されている状態を示しており、基板２１上の第１鉄筋３と対をなすラチス筋４Ａ，４Ｂとで囲まれた空間内のコンクリート１００ａは、それらの鉄筋部材によりタガが締められた形となっており、また、基板２１上のラチス筋４Ａ，４Ｂおよび第２鉄筋５により囲まれた台形状の空間内のコンクリート１００ｂは、これらの鉄筋部材によってタガが締められて形となっている。
【００３３】
さらに、基板２１上には、従来例のウェブのような壁となるものやウェブの張り出し部のような幅をもつものが存在しないので、乾燥時の収縮によってひび割れが生じたり、コンクリート１００内の余剰水に起因する脆弱層が発生したりするおそれがない。
【００３４】
さらに、火災発生時に基板２１の下面に高熱が作用したとき、第１鉄筋３は下面からの高熱の影響を受けにくいコンクリート１００の奥深くに定着されており、その第１鉄筋３に対をなすラチス４Ａ，４Ｂが固着され、また、各ラチス筋４Ａ，４Ｂは基板２１に設けられた突条２２Ａ，２２Ｂにも固着されているので、基板２１の長さ方向Ｌおよび幅方向ｗの熱膨張が抑制するもので、その結果、基板２１とコンクリート１００との一体化が損なわれず、合成床版１の自重と積載荷重による撓みとスラブ上面と下面の膨張差によって発生する変形総和が抑えられる。
【符号の説明】
【００３５】
１    合成床版
２    デッキプレート
３    第１鉄筋
４Ａ，４Ｂ  ラチス筋
５    第２鉄筋
２０  組立構造物
２１  基板
２２Ａ，２２Ｂ  突条
２３  突起
４１，４２  屈曲部分
４０ｐ，４１ｐ  屈曲端
【図１】
2019019599.tif 000003
【図２】
2019019599.tif 000004
【図３】
2019019599.tif 000005
【図４】
2019019599.tif 000006
【図５】
2019019599.tif 000007
【図６】
2019019599.tif 000008
【図７】
2019019599.tif 000009
【図８】
2019019599.tif 000010
【図９】
2019019599.tif 000011
【手続補正書】
【提出日】平成29年12月20日(2017.12.20)
【手続補正１】
【補正対象書類名】特許請求の範囲
【補正対象項目名】請求項１
【補正方法】変更
【補正の内容】
【請求項１】
梁上に設置され上面に打設されたコンクリートと一体化されて合成床版を構成するデッキプレートであって、
溶融亜鉛メッキ鋼板よりなる基板と、同一平面上を同じ振幅、同じ周期で振動する波形形状を呈し上側の屈曲部分と下側の屈曲部分と上下の屈曲部分間の斜めの直線部分とが一連に連続する対をなすラチス筋と、前記基板上の同じ高さ位置に基板の長さ方向に沿って互いに平行に配置され対をなすラチス筋と基板とで三角立体トラスを構成する複数の第１鉄筋と、前記複数の第１鉄筋上に第１鉄筋と直交して互いに平行に設けられる複数の第２鉄筋とを備え、対をなすラチス筋は、第１鉄筋毎に第１鉄筋を挟む両側位置に逆方向に傾いた姿勢で全長にわたって対向配置され、前記基板の表面には、第１鉄筋の位置に対して対称の位置に、基板を斜め上向きに屈曲しかつ折り返すことにより対をなす突条がラチス筋の傾きと一致する傾きで全長にわたって基板と一体に形成されており、
対をなす各ラチス筋の下側の各屈曲部分は、対をなす各突条の内面または外面に重ねられて屈曲端より上方の二つの直線部分の下端部の位置で溶接され、上側の各屈曲部分は、第１鉄筋の側面に当てられて屈曲端より下方の二つの直線部分の上端部の位置で溶接されてなるデッキプレート。
【手続補正２】
【補正対象書類名】明細書
【補正対象項目名】００１１
【補正方法】変更
【補正の内容】
【００１１】
この発明によるデッキプレートは、梁上に設置され上面に打設されたコンクリートと一体化されて合成床版を構成するデッキプレートであって、
溶融亜鉛メッキ鋼板よりなる基板と、同一平面上を同じ振幅、同じ周期で振動する波形形状を呈し上側の屈曲部分と下側の屈曲部分と上下の屈曲部分間の斜めの直線部分とが一連に連続する対をなすラチス筋と、前記基板上の同じ高さ位置に基板の長さ方向に沿って互いに平行に配置され対をなすラチス筋と基板とで三角立体トラスを構成する複数の第１鉄筋と、前記複数の第１鉄筋上に第１鉄筋と直交して互いに平行に設けられる複数の第２鉄筋とを備える。対をなすラチス筋は、第１鉄筋毎に第１鉄筋を挟む両側位置に逆方向に傾いた姿勢で全長にわたって対向配置される。前記基板の表面には、第１鉄筋の位置に対して対称の位置に、基板を斜め上向きに屈曲しかつ折り返すことにより対をなす突条がラチス筋の傾きと一致する傾きで全長にわたって基板と一体に形成されている。対をなす各ラチス筋の下側の各屈曲部分は、対をなす各突条の内面または外面に重ねられて屈曲端より上方の二つの直線部分の下端部の位置で溶接され、上側の各屈曲部分は、第１鉄筋の側面に当てられて屈曲端より下方の二つの直線部分の上端部の位置で溶接されている。
【手続補正書】
【提出日】平成30年4月6日(2018.4.6)
【手続補正１】
【補正対象書類名】特許請求の範囲
【補正対象項目名】全文
【補正方法】変更
【補正の内容】
【特許請求の範囲】
【請求項１】
梁上に複数枚連ねて設置されるデッキプレートとデッキプレートの上面に打設されるコンクリートとが一体化されて構成される合成床版であって、
前記デッキプレートは、溶融亜鉛メッキ鋼板よりなる基板と、同一平面上を同じ振幅、同じ周期で振動する波形形状を呈し上側の屈曲部分と下側の屈曲部分と上下の屈曲部分間の斜めの直線部分とが一連に連続する対をなすラチス筋と、前記基板上の同じ高さ位置に基板の長さ方向に沿って互いに平行に配置され対をなすラチス筋と基板とで三角立体トラスを構成する複数の第１鉄筋と、前記複数の第１鉄筋上に第１鉄筋と直交して互いに平行に設けられる複数の第２鉄筋とを備え、対をなすラチス筋は、第１鉄筋毎に第１鉄筋を挟む両側位置に逆方向に傾いた姿勢で全長にわたって対向配置され、前記基板の表面には、第１鉄筋の位置に対して対称の位置に、基板を斜め上向きに屈曲しかつ折り返すことにより対をなす突条がラチス筋の傾きと一致する傾きで全長にわたって基板と一体に形成されており、
対をなす各ラチス筋の下側の各屈曲部分は、対をなす各突条の内面または外面に重ねられて屈曲端より上方の二つの直線部分の下端部の位置で溶接され、上側の各屈曲部分は、第１鉄筋の側面に当てられて屈曲端より下方の二つの直線部分の上端部の位置で溶接されてなる合成床版。
【請求項２】
対をなす各突条は、基板の表面に対して６０度以上、８０度以下の傾きに形成されている請求項１に記載の合成床版。
【請求項３】
対をなす各突条は、それぞれの傾きの角度が一致している請求項１または２に記載の合成床版。
【請求項４】
対をなす各突条は、基板の表面から少なくとも１５ｍｍの高さに形成されている請求項１〜３のいずれかに記載の合成床版。
【請求項５】
前記突条のラチス筋との溶接部位には、突起が設けられている請求項１に記載の合成床版。 
【手続補正２】
【補正対象書類名】明細書
【補正対象項目名】０００１
【補正方法】変更
【補正の内容】
【０００１】
この発明は、デッキプレートとデッキプレートの上面に打設されたコンクリートとが一体化されて構成される合成床版に関し、この発明は特に、火災時の床下からの熱により一体化が緩むのを抑制し得る耐火性能に優れた合成床版に関する。
【手続補正３】
【補正対象書類名】明細書
【補正対象項目名】００１０
【補正方法】変更
【補正の内容】
【００１０】
この発明は、上記の問題に着目してなされたもので、デッキプレートとデッキプレートの上面に打設されたコンクリートとが一体化されて構成される合成床版を提供し、さらに、常温時および火災時における耐荷重性に優れた合成床版を提供することを目的とする。
【手続補正４】
【補正対象書類名】明細書
【補正対象項目名】００１１
【補正方法】変更
【補正の内容】
【００１１】
この発明による合成床版は、梁上に複数枚連ねて設置されるデッキプレートとデッキプレートの上面に打設されるコンクリートとが一体化されて構成される合成床版であって、前記デッキプレートは、溶融亜鉛メッキ鋼板よりなる基板と、同一平面上を同じ振幅、同じ周期で振動する波形形状を呈し上側の屈曲部分と下側の屈曲部分と上下の屈曲部分間の斜めの直線部分とが一連に連続する対をなすラチス筋と、前記基板上の同じ高さ位置に基板の長さ方向に沿って互いに平行に配置され対をなすラチス筋と基板とで三角立体トラスを構成する複数の第１鉄筋と、前記複数の第１鉄筋上に第１鉄筋と直交して互いに平行に設けられる複数の第２鉄筋とを備える。対をなすラチス筋は、第１鉄筋毎に第１鉄筋を挟む両側位置に逆方向に傾いた姿勢で全長にわたって対向配置され、前記基板の表面には、第１鉄筋の位置に対して対称の位置に、基板を斜め上向きに屈曲しかつ折り返すことにより対をなす突条がラチス筋の傾きと一致する傾きで全長にわたって基板と一体に形成されている。対をなす各ラチス筋の下側の各屈曲部分は、対をなす各突条の内面または外面に重ねられて屈曲端より上方の二つの直線部分の下端部の位置で溶接され、上側の各屈曲部分は、第１鉄筋の側面に当てられて屈曲端より下方の二つの直線部分の上端部の位置で溶接されている。